(57)【要約】【課題】  移動端末装置においてセル選択を可能にし、無線基地局装置の負担を軽減して回線収容数の増大を可能にした無線通信システム及び無線移動端末装置を提供する。【解決手段】  複数の無線基地局装置NodeＢと移動端末装置ＵＥとを備え、性格の異なる複数のセルＣ１，Ｃ１０〜Ｃ１６が同じエリアをカバーする移動通信システムにおいて、無線基地局装置は移動端末装置に向けてセル種別の報知情報を含むＤＬ信号を送信し、移動端末装置はＤＬ信号を受信し、ＤＬ信号中の報知情報とＤＬ信号の信号品質を判定し、判定に基づいて通信すべきセル種別を選択する。移動端末装置ＵＥにおいて選択したセル種別の無線基地局装置NodeＢに対してハンドオーバすることにより、ＵＬ信号の干渉波レベルや無線基地局装置における処理リソースの無駄な消費を抑え、回線収容数の減少を抑える。【選択図】  図１
2009246598.tif 000002
【特許請求の範囲】
【請求項１】
複数の無線基地局装置と移動端末装置とを備え、前記複数の無線基地局装置により性格の異なる複数のセルが同じエリアをカバーする移動通信システムにおいて、前記無線基地局装置は移動端末装置に向けてセルの報知情報を含むＤＬ（下り）信号を送信し、前記移動端末装置は受信したＤＬ信号の報知情報とＤＬ信号の信号品質を判定し、この判定に基づいて通信するセル種別を選択することを特徴とする移動通信システム。
【請求項２】
前記セルの報知情報は、セル種別又はＳＣＣ（Scrambling Code ）であることを特徴とする請求項１に記載の移動通信システム。
【請求項３】
前記報知情報を複数の無線基地局装置に接続される基地局制御装置から各無線基地局装置に通知し、各無線基地局装置は当該通知された報知情報を含むＤＬ信号を移動端末装置に送信することを特徴とする請求項２に記載の移動通信システム。
【請求項４】
前記移動端末装置は、報知情報に基づいて判定したセル種別のそれぞれにおいて受信した複数のＤＬ信号について受信品質を判定し、これら複数の受信品質を対比していずれかのセル種別を選択することを特徴とする請求項１ないし３のいずれかに記載の移動通信システム。
【請求項５】
前記無線基地局装置はマクロセルを形成する無線基地局装置とマイクロセルを形成する無線基地局装置とを含み、前記移動端末装置は自身が在圏するセルがマクロセルとマイクロセルのいずれか又は両方であることを判定し、両方を判定したときにＤＬ信号の受信品質に基づいてセル種別を選択することを特徴とする請求項１ないし４のいずれかに記載の移動通信システム。
【請求項６】
前記移動端末装置は、ＧＰＳ（Global Positioning System ）機能を備えており、前記セル種別の選択に際してＧＰＳの受信状態を参照することを特徴とする請求項１ないし５のいずれかに記載の移動通信システム。
【請求項７】
複数の無線基地局装置を備え、前記複数の無線基地局装置により性格の異なる複数のセルが同じエリアをカバーする移動通信システムの移動端末装置であって、前記無線基地局装置から送信されるＤＬ信号に含まれるセルの報知情報に基づいてセルを判定する手段と、判定した各セルで受信したＤＬ信号の受信品質を判定する手段と、受信したＤＬ信号の報知情報とＤＬ信号の信号品質の判定に基づいて通信するセル種別を選択する手段を備えることを特徴とする移動端末装置。
【請求項８】
前記移動端末装置はＧＰＳ機能を備え、前記セル種別を選択する手段はＧＰＳ機能でのＧＰＳ受信状態を参照してセル種別の選択を行うことを特徴とする請求項７に記載の移動端末装置。
【請求項９】
複数の無線基地局装置と移動端末装置とを備え、前記複数の無線基地局装置により性格の異なる複数のセルが同じエリアをカバーする移動通信システムにおいて、前記無線基地局装置から移動端末装置に向けてセルの報知情報を含むＤＬ信号を送信し、前記移動端末装置は受信したＤＬ信号の報知情報とＤＬ信号の信号品質を判定し、この判定に基づいて通信するセル種別を選択することを特徴とする移動通信システムにおけるセル選択方法。
【発明の詳細な説明】
【技術分野】
【０００１】
本発明はそれぞれ無線通信領域のセルを形成する複数の無線基地局装置と移動端末装置とで構成される移動通信システムに関し、特に移動端末装置において通信すべきセルを選択することを可能にした移動通信システム及び移動端末装置に関するものである。また、本発明は当該移動通信システムにおいて移動端末装置が通信しようとするセルを選択する方法に関するものである。
【背景技術】
【０００２】
最近の移動通信システムの無線基地局装置は小型な装置も開発され、建物の内部や、無線接続が難しい場所に多数設置されるようになってきている。例えば、図１では無線基地局装置NodeＢ１で形成される大セル（マクロセル）Ｃ１がカバーする領域の建物Ｈ内に複数の無線基地局装置NodeＢ１０〜１６で形成される小セル（マイクロセル）Ｃ１０〜１６が形成されている。その結果、移動端末装置（移動機）ＵＥが建物Ｈ内に移動したときには、これらマクロセルＣ１とマイクロセルＣ１０〜１６に移動端末装置ＵＥが在圏している状況となり、それぞれのセルに対して通信( ハンドオーバ) が可能になる。しかし、複数のセルに対してハンドオーバした場合には、無駄な送信電力を使ったり、ハンドオーバした無線基地局装置NodeＢの処理リソースを無駄に消費してしまう可能性があり、それが回線収容数の減少の要因となっている。
【０００３】
このような問題を解消するために、移動端末装置が複数のセルに在圏している際に好適なセルを選択してハンドオーバする技術が提案されている。特許文献１には、マクロセルとマイクロセルが形成されているマルチレイヤセル移動通信システムにおいて、移動端末装置と無線基地局装置との間で呼種別、端末移動速度、回線使用予想時間等の情報を伝達し、この情報に基づいてセル選択装置がセルを選択する技術が提案されている。また、特許文献２には、無線基地局装置がマクロセル内に移動した移動端末装置からの信号レベルを監視することによってセルの特定を行う技術が提案されている。
【特許文献１】特開平９−２００８５８号公報
【特許文献２】特開平７−７５１５４号公報
【特許文献３】特開２００７−１７４２８２号公報
【発明の開示】
【発明が解決しようとする課題】
【０００４】
特許文献１の技術は無線基地局装置においてセル選択装置を制御してセルの選択を行っており、特許文献２の技術は無線基地局装置においてセルを選択しているように、いずれも無線基地局装置側においてセルの選択を行っている。そのため、無線基地局装置や、無線基地局装置を制御する基地局制御装置においてセル選択の処理が必要となり、この面で無線基地局装置や基地局制御装置での処理の負担が増大して回線収容数が減少する要因になっている。これに対し、特許文献３のように移動端末装置において無線基地局装置を決定する技術も提案されているが、この場合には特定の無線基地局装置に呼が集中することがないように各無線基地局装置に対して呼の受け付けが可能であるか否かを参照する処理が必要であり、その際における移動端末装置での送信電力の消費が問題になり、さらには無線基地局装置の処理リソースを無駄に消費してしまうことになる。
【０００５】
本発明の目的は、移動端末装置においてセル選択を可能にすることで無線基地局装置での負担を軽減して回線収容数の増大を可能にする一方で移動端末装置における無駄な電力消費を抑制した移動通信システム及び移動端末装置を提供するものである。また、本発明の他の目的は、当該移動通信システムにおいて移動端末装置が通信しようとするセル、すなわち無線基地局装置を選択する方法を提供するものである。
【課題を解決するための手段】
【０００６】
本発明は、複数の無線基地局装置と移動端末装置とを備え、複数の無線基地局装置により性格の異なる複数のセルが同じエリアをカバーする移動通信システムであって、無線基地局装置は移動端末装置に向けてセル種の報知情報を含むＤＬ信号を送信し、移動端末装置は受信したＤＬ信号の報知情報とＤＬ信号の信号品質を判定し、この判定に基づいて通信するセル種別を選択することを特徴とする。
【０００７】
また、本発明は複数の無線基地局装置を備え、前記複数の無線基地局装置により性格の異なる複数のセルが同じエリアをカバーする移動通信システムの移動端末装置であって、無線基地局装置から送信されるＤＬ信号に含まれるセル種の報知情報に基づいてセルを判定する手段と、判定した各セルで受信したＤＬ信号の受信品質を判定する手段と、受信したＤＬ信号の報知情報とＤＬ信号の信号品質の判定に基づいて通信するセル種別を選択する手段を備えることを特徴とする。
【０００８】
さらに、本発明は、本発明にかかる移動通信システムにおいて、無線基地局装置から移動端末装置に向けてセルの報知情報を含むＤＬ信号を送信し、移動端末装置は受信したＤＬ信号の報知情報とＤＬ信号の信号品質を判定し、この判定に基づいて通信するセル種別を選択することを特徴とする。
【発明の効果】
【０００９】
本発明によれば、移動端末装置においてＤＬ信号を受信し、ＤＬ信号に含まれるセルの報知情報を判定するとともに当該ＤＬ信号の信号品質を判定することにより、移動端末装置のみで通信に適正なセルを選択することが可能になる。そのため、移動端末装置において選択したセル種別の無線基地局装置に対してハンドオーバすることにより、ＵＬ（上り）信号の干渉波レベルを抑制し、同時に無線基地局装置における処理リソースの無駄な消費を抑えることができ、回線収容者の減少を抑えることが可能となる。特に、本発明において、マクロセルとマイクロセルなど性格の異なるセルが同じエリアをカバーしている場合に適用することで、移動端末装置において受信したＤＬ信号により通信すべきセル種別を選択することができ、しかもマイクロセルは狭いエリアであるので他の移動端末装置が在圏する確率も低く、選択した無線基地局装置での呼の集中も少なく、移動端末装置において呼を変更する等の無駄な電力消費が抑制できる。
【発明を実施するための最良の形態】
【００１０】
本発明の移動通信システムの好ましい形態として、セルの報知情報は、例えば、セル種別又はＳＣＣとする。この場合において、報知情報を複数の無線基地局装置に接続される基地局制御装置から各無線基地局装置に通知し、各無線基地局装置は当該通知された報知情報を含むＤＬ信号を移動端末装置に送信する構成とすることが好ましい。また、本発明の移動通信システムにおいて、移動端末装置は、報知情報に基づいて判定したセル種別のそれぞれにおいて受信した複数のＤＬ信号について受信品質を判定し、これら複数の受信品質を対比していずれかのセル種別を選択する構成とすることが好ましい。
【００１１】
本発明の移動通信システムでは、例えば、無線基地局装置はマクロセルを形成する無線基地局装置とマイクロセルを形成する無線基地局装置とを含んでおり、移動端末装置は自身が在圏するセルがマクロセルとマイクロセルのいずれか又は両方であることを判定し、両方を判定したときにＤＬ信号の受信品質に基づいてセル種別を選択する構成とする。さらに、本発明の移動端末装置は、ＧＰＳ（Global Positioning System ）機能を備えており、セル種別の選択に際してＧＰＳの受信状態を参照する構成とすることが好ましい。
【実施例１】
【００１２】
次に、本発明の実施例１をＷ−ＣＤＭＡシステムに適用した例について説明する。図１を参照すると、無線基地局装置NodeＢ１が形成するエリアの比較的広いセル、すなわち、マクロセルＣ１と、このマクロセルＣ１のセル内において複数の無線基地局装置NodeＢ１０〜Ｂ１６が提供するエリアの比較的狭いセル、すなわち、マイクロセルＣ１０〜Ｃ１６が形成されている。ここでマイクロセルＣ１０〜Ｃ１６はマクロセル１のエリアに存在する建物Ｈの中に配置されていることを示している。そして、携帯電話等で代表される無線移動端末装置ＵＥは建物Ｈ内に移動されており、したがって無線移動端末装置ＵＥはマクロセルＣ１とマイクロセルＣ１０〜Ｃ１６の重畳するエリアに移動されているものとする。
【００１３】
図１に示したマクロセルＣ１とマイクロセルＣ１０〜Ｃ１６で構成される移動通信システムのネットワーク構成を図２に示す。無線基地局装置NodeＢ１、及びNodeＢ１０〜１６は基地局制御装置ＲＮＣに接続されている。また、移動端末装置ＵＥは移動したときに在圏するセルを構成する無線基地局装置と無線インタフェースを介してハンドオーバする。例えば、移動端末装置ＵＥがマイクロセルＣ１０内に移動したときには、当該マイクロセルＣ１０を形成する無線基地局装置NodeＢ１０とハンドオーバが可能であるが、これと同時にマクロセル１内にも移動しているので当該マクロセルＣ１を形成している無線基地局装置NodeＢ１ともハンドオーバが可能である。なお、ここでは便宜的に全ての無線基地局装置NodeＢ１，Ｂ１０〜１６は１つの基地局制御装置ＲＮＣに接続した例を示しているが、必ずしも全ての無線基地局装置NodeＢが１つの基地局制御装置ＲＮＣに接続する必要はなく、異なる基地局制御装置ＲＮＣに接続されていてもよい。
【００１４】
前記基地局制御装置ＲＮＣは、各無線基地局装置NodeＢ１，Ｂ１０〜１６に対してそれぞれのセルを選択するための報知情報を通知し、これを受けた各無線基地局装置NodeＢ１，Ｂ１０〜１６はこの報知情報を移動端末装置ＵＥに向けてのＤＬ（下り）信号に含ませている。すなわち、ここでは図  に示すように、基地局制御装置ＲＮＣは報知情報として、セルがマクロセルであるかマイクロセルであるかのセル種別を各無線基地局装置NodeＢ１，Ｂ１０〜１６に通知する。そして、各無線基地局装置NodeＢ１，Ｂ１０〜１６はこの（セル種別）をＤＬ信号に含ませてそれぞれのセル１，１０〜１６に向けて送信し、セル１，１０〜１６に移動した移動端末装置ＵＥに通知するようになっている。
【００１５】
前記移動端末装置ＵＥは、図２に概念的に示すように、自装置が在圏するマクロセル、マイクロセルの無線基地局装置NodeＢからのＤＬ信号を受信し、また当該無線基地局装置に対してＵＬ（上り）信号を送信する等して通信を行うための通信手段１０１と、この通信手段において受信した無線基地局装置NodeＢからのＤＬ信号に含まれる報知情報からセル種別を判定するための手段１０２と、セル種別を判定した後に選択したセルでのＤＬ信号の受信品質を判定する手段１０３と、判定した受信品質に基づいてセル種別を選択する手段１０４を備えている。また、図には示されないが、選択したセル種別に基づいて当該無線基地局装置NodeＢに対してハンドオーバ要求を行う手段を備えている。これらの手段を備えることにより、移動端末装置ＵＥは自身が通信するセルのセル種別がマクロセルであるかマイクロセルであるか、及びマクロセルとマイクロセルにおける受信品質を判定し、これらの判定に基づいて高受信品質のセルを選択し、かつ選択した当該セルの無線基地局装置NodeＢに対してハンドオーバ要求を行って通信を実行することが可能とされている。
【００１６】
以上の構成の実施例１の動作を説明する。図３にシーケンスチャートを示すように、基地局制御装置ＲＮＣは各無線基地局装置NodeＢ１，１０〜１６に対して定期的に報知情報を通知し、これを受けた各無線基地局装置NodeＢ１，１０〜１６は移動端末装置ＵＥに対するＤＬ信号に当該報知情報を含ませて送信する。この報知情報は前述のようにセル種別であり、ＤＬ信号を受信した移動端末装置ＵＥは、セル種別制御処理を実行する。
【００１７】
図４はセル種別制御処理のフローチャートである。移動端末装置ＵＥは、在圏するセルにおいて無線基地局装置NodeＢからのＤＬ信号を受信すると、受信したＤＬ信号から報知情報を抽出し、当該報知情報に含まれるセル情報から受信した無線基地局装置NodeＢのセル種別を判定する（Ｓ１１）。ここでは、マクロセルとマイクロセルの判定を行う。ついで、受信したＤＬ信号の信号品質、すなわちＤＬ信号品質を判定する（Ｓ１２）。しかる上で、これら報知情報とＤＬ信号品質の各判定に基づいて通信をすべきセルを選択するためのセル種別選択処理を実行する（Ｓ１３）。
【００１８】
図５はセル種別選択処理Ｓ１３に際しての選択基準となる選択テーブルである。この選択テーブルは、ＤＬ信号の報知情報からマクロセルを判定したときの受信品質を横欄に「優良」，「良」，「不可」の順序に並べ、同様にマイクロセルを判定したときの受信品質を縦欄に「優良」，「良」，「不可」の順序に並べている。ここでは、マイクロセルの選択を優先するテーブルとなっており、マイクロセル品質が「優良」の場合にはマクロセル品質如何にかかわらずマイクロセルを選択している。また、マイクロセル品質が「良」の場合にも、マクロセル品質が「優良」の場合を除いてマイクロセルを選択している。マクロセル品質が「優良」の場合にはマイクロセルとマクロセルの両方を選択している。マイクロセル品質が「不可」の場合には、マクロ品質が「優良」，「良」の場合にマクロセルを選択することになる。両方が「不可」の場合は圏外となる。
【００１９】
セル種別選択処理Ｓ１３の後は、電力設定処理（Ｓ１４）と通信設定処理（Ｓ１５）を実行する。電力設定処理Ｓ１４では、マイクロセルを選択した場合、移動端末装置ＵＥはＵＬ送信電力をマイクロセル用送信電力に設定する（Ｓ１４ａ）。このマイクロセル用送信電力は移動端末装置ＵＥの通常送信電力よりも低電力である。そして、マイクロセルの無線基地局装置NodeＢ１に対してハンドオーバ要求を行い、ハンドオーバを実行する（Ｓ１５ａ）。このように、マイクロセルを選択したときにマイクロセル用送信電力に設定することで、マクロセルへの干渉を抑えることができる。さらに、マイクロセルのみと通信するように制限を掛けることでマクロセルへのハンドオーバを減らしマクロセルの無線基地局装置NodeＢ１における処理リソースの消費を抑える。
【００２０】
一方、セル種別選択処理Ｓ１１でマクロセルを選択した場合、移動端末装置ＵＥはＵＬ送信電力を通常送信電力に設定し（Ｓ１４ｂ）、その上でマクロセルの無線基地局装置NodeＢ１に対してハンドオーバ要求を行ない、ハンドオーバを実行する（Ｓ１５ｂ）。このようにして、マクロセルのみと通信するように制限を掛けることでマイクロセルの無線基地局装置NodeＢ１０〜１６における処理リソースの消費を抑える。また、ここではマクロセルを選択したときには、マクロセルのみ通信可能な条件に限っているためマイクロセルへの干渉も最小限に抑えている。
【００２１】
セル種別選択処理Ｓ１１で全セル（マクロセルとマイクロセル）を選択した場合、移動端末装置ＵＥはＵＬ送信電力をマイクロセル用送信電力に設定し（Ｓ１４ｃ）、マイクロセルの無線基地局装置NodeＢ１０〜１６に対してハンドオーバ要求を行い、ハンドオーバを実行する（Ｓ１５ｃ）。これにより、マクロセルへの干渉を抑えつつ、マイクロセルとマクロセル間のハンドオーバを行うことになる。ハンドオーバを行う条件として、〔マクロセル品質> マイクロセル品質〕に限定しているのでＵＬ送信電力を最小限に抑えることが可能となり、干渉とマクロセルの無線基地局装置NodeＢ１の処理リソースの消費を最小限に抑えることができる。
【００２２】
このように、実施例１では、移動端末装置ＵＥにおいて在圏するセルを判定するとともに、その受信品質から通信を行うべきセル種別、すなわち無線基地局装置NodeＢを選択し、選択した無線基地局装置NodeＢに対してハンドオーバを実行する。このため、無線基地局装置NodeＢにおいて個々の移動端末装置についてのセル選択のための処理が不要になり、無線基地局装置NodeＢ側での負担を軽減して回線収容数の増大を実現することができる。
【実施例２】
【００２３】
実施例２では、セル種別選択処理Ｓ１１におけるセル種別がマクロセルであるかマイクロセルであるかを判定するために、セル種別の報知情報としてＳＣＣ（Scrambling Code ）のコードを用いている。図６はそのシーケンスチャートであり、基地局制御装置ＲＮＣはあらかじめセル種別ごとにグループ分けしたＳＣＣを各無線基地局装置NodeＢ１，１０〜１６に対して定期的に通知する。これらのグループ分けは例えばPrimary Scrambling Code はマクロセル、Secoundary Scrambling Codeはマイクロセルのような使い分けが考えられる。例えば、ここでは、マクロセルの無線基地局装置NodeＢに対してはＳＣＣ＃１を通知し、マイクロセルの無線基地局装置NodeＢに対してはＳＣＣ＃ｎ（ｎ＝１０〜１６）を通知する。これを受けた各無線基地局装置NodeＢ１，１０〜１６は指定されたＳＣＣで移動端末装置ＵＥに対するＤＬ信号に当該ＳＣＣを含ませて送信する。通常ＳＣＣは運用中に途中で変更することはなくＤＬ信号中に継続的に使用される。移動端末装置ＵＥは各セル内でＤＬ信号を受信する際にそのセルで使用されているＳＣＣを検出し、これに基づいてセル種別を判定する。
【００２４】
したがって、実施例２のセル種別選択処理Ｓ１１では、移動端末装置ＵＥは受信したＤＬ信号中のＳＣＣを認識することによりマクロセルかマイクロセルを判定することができる。また、ここではＳＣＣを細分化することでマイクロセルについてもいずれのマイクロセルＣ１０〜Ｃ１６についても判定することができる。その上で、移動端末装置ＵＥは受信したセルのＤＬ信号の受信品質を判定し、これらの判定を基に通信すべきセル種別を選択する。このＤＬ受信品質に基づくセル種別の選択は図４に例示した実施例１の選択フローと同様に行うことが可能である。
【００２５】
実施例２では、マクロセルとマイクロセルの判定をＳＣＣを利用している点が異なる他は、実施例１と同様にセル種別を判定してセル種別の選択を行っているので、実施例１と同様に、無線基地局装置NodeＢにおいて移動端末装置ＵＥについてのセル選択のための処理が不要になり、無線基地局装置側での負担を軽減して回線収容数の増大を実現することができる。
【実施例３】
【００２６】
実施例１，２では、移動端末装置ＵＥはセル種別情報とＤＬ受信品質とで通信するセル種別を選択していたが、判断基準が受信品質という変動しやすい情報のみであるためシステムとしての安定性は必ずしも十分ではない場合がある。そこで実施例３では、より安定した動作を実現するためにセル種別選択処理Ｓ１１の選択基準としてＧＰＳの受信が可能であるか不可であるかを加えている。これは、近年の移動通信に用いられる移動端末装置はＧＰＳの受信機能を搭載するものが多くなっているので、このＧＰＳの機能を利用してセルの選択を行っている。
【００２７】
図７はＧＰＳ機能を利用して図４に示したフローチャートでのセル種別選択処理Ｓ１３を行う際の選択基準となる選択テーブルである。ただし、実施例３では図４のフローチャートにおいて、セル種別選択処理Ｓ１３の前段にＧＰＳ受信の有無を判定するステップが存在しているが、ここでは図示は省略する。このセル種別選択処理Ｓ１３の選択基準となる選択テーブルでは、縦欄にマイクロセルの受信品質を「優良」，「良」，「不可」に並び、その上で各品質において「ＧＰＳ受信可」であるか「ＧＰＳ受信不可」であるかを区分している。この選択テーブルを用いたセル種別選択処理Ｓ１３では、マイクロセルの受信品質にかかわらず、「ＧＰＳ受信可」のときにはマクロセル位置に移動しているものとしてマクロセルを選択し、「ＧＰＳ受信不可」の場合にはマイクロセル位置あるいは屋内に移動しているものとして実施例１，２と同様にマクロセルとマイクロセルの受信品質に基づいてマイクロセルとマクロセルのセル種別を選択するようにしている。
【００２８】
実施例３においては、マイクロセルにおいて移動端末装置ＵＥがマイクロセルの信号が受信できる場合はマイクロセルを選択するが、移動端末装置ＵＥがマクロセルに位置しているときにはマクロセルを選択するようになり、マクロセルの無線基地局装置に対して優先的なハンドオーバを実行し、システムの安定性を高める上で有利になる。また、実施例３においても、実施例１，２と同様に、無線基地局装置において個々の移動端末装置についてのセル選択のための処理が不要になり、無線基地局装置側での負担を軽減して回線収容数の増大を実現することができる。
【００２９】
実施例３のように移動端末装置ＵＥにＧＰＳ機能を備えている場合には、あらかじめマクロセル、マイクロセルの位置情報を移動端末装置ＵＥに記憶させておき、移動端末装置ＵＥにてＧＰＳ機能を利用して自装置の位置を検出し、自装置がいずれのマクロセル、マイクロセルのエリアに移動しているかを認識し、この認識に基づいてマクロセルとマイクロセルの判定を行うように構成することも可能である。
【００３０】
ここで、本発明において、基地局制御装置及び無線基地局装置から移動端末装置に通知するセル種別のための報知情報は実施例１，２の報知情報やＳＣＣに限られるものではない。さらに、この報知情報に各無線基地局装置における呼の集中状態を示す情報を挿入しておけば、移動端末装置におけるセル種別の選択に際して呼の少ないセル種別を選択することも可能であり、移動端末装置における無駄な電力消費を抑制する上で有効になる。また、移動端末装置においてセル種別を選択する際の選択基準となる選択テーブルは実施例１，２，３に限られるものではなく、例えば、ＤＬ信号の信号品質を具体的なレベル値によって区分して選択を行うようにしてもよい。
【図面の簡単な説明】
【００３１】
【図１】本発明にかかる移動通信システムの概念構成図である。
【図２】本発明にかかる移動通信システムの概略システムと移動端末装置の構成を示す概念図である。
【図３】実施例１におけるＤＬ信号のシーケンスチャートである。
【図４】実施例１におけるセル選択制御処理のフローチャートである。
【図５】実施例１のセル選択基準の選択テーブルである。
【図６】実施例２のシーケンスチャートである。
【図７】実施例３のセル選択基準の選択テーブルである。
【符号の説明】
【００３２】
NodeＢ  無線基地局装置
ＵＥ  移動端末装置
Ｃ１  マクロセル
Ｃ１０〜Ｃ１６マイクロセル
Ｈ  建物
ＲＮＣ  基地局制御装置
【図１】
2009246598.tif 000003
【図２】
2009246598.tif 000004
【図３】
2009246598.tif 000005
【図４】
2009246598.tif 000006
【図５】
2009246598.tif 000007
【図６】
2009246598.tif 000008
【図７】
2009246598.tif 000009